【事件の表示】
　特願２００１−２２４９８６「遊技機」拒絶査定不服審判事件〔平成１５年　２月　４日出願公開、特開２００３−　３３４７７〕について、次のとおり審決する。
【結　論】
　本件審判の請求は、成り立たない。
【理　由】
１．手続の経緯
　本願は、平成１３年７月２５日の出願であって、平成２１年９月４日付け（発送：９月８日）で拒絶査定され、これに対し、同年１２月７日に拒絶査定不服審判の請求がなされ、同日付けで手続補正がなされたものである。
　
　
２．平成２１年１２月７日付けの手続補正についての補正却下の決定
［補正却下の決定の結論］
　平成２１年１２月７日付けの手続補正を却下する。
　
［理由］
　（１）補正の内容
　平成２１年１２月７日付けの手続補正（以下、「本件補正」という。）により、特許請求の範囲は、
「【請求項１】入賞口への遊技球の通過を検出した検出手段から出力される出力電圧に基づき制御手段が遊技球の入賞個数を判別し、当該判別結果に対応した賞球払出しを行う遊技機において、
　前記検出手段と制御手段との間をフィルタ回路により接続し、当該フィルタ回路を、前記検出手段側となる入力側から制御手段側となる出力側への電流の流れ及び当該出力側から入力側への電流の流れの双方を許容する第１部分回路と、前記入力側から出力側への電流の流れのみを許容して当該出力側から入力側への電流の流れを規制する第２部分回路とが並列に接続され、前記第１部分回路と第２部分回路との出力側における交点以降に蓄電手段が接続された回路構成とし、
　前記検出手段は、前記入賞口への遊技球の通過をオン動作及びオフ動作により検出する機械式スイッチであり、
　前記第１部分回路には回路内に電気抵抗が設けられ、
　前記第２部分回路は、前記第１部分回路と前記第２部分回路との出力側における交点にカソードが接続されるダイオードを有する構成とされているとともに、回路内において前記ダイオードのカソードと前記出力側における交点の間に電気抵抗が設けられている遊技機。
【請求項２】前記入賞口は、当該入賞口を開閉可能な大入賞扉を有する大入賞口であって、
　前記大入賞口の奥方には、前記大入賞扉の開放動作によって入賞し、前記大入賞口の底部によって前記奥方に案内された遊技球を受け入れる球通路が下方に延設され、
　前記球通路には、１球の遊技球の通過を許容し得る大きさの径からなる球通過孔が形成されているとともに、前記球通過孔の内側面から突出した突起を有する検出手段が配設されており、
　前記検出手段は、前記遊技球が前記球通過孔を通過する際の前記突起の出没動作により、前記遊技球の通過をオン動作及びオフ動作によって検出する請求項１に記載の遊技機。
【請求項３】前記フィルタ回路は、前記第１部分回路と第２部分回路との出力側における交点以降であって且つ当該交点に対する前記蓄電手段の接続点よりも出力側に、シュミット回路が接続されている請求項１又は請求項２に記載の遊技機。」
　に補正された。
　
　本件補正は、補正前の請求項１における、第２部分回路内の電気抵抗について、「前記ダイオードのカソードと前記出力側における交点の間に設ける」という事項を付加したものであって、当該補正は、特許請求の範囲の減縮を目的とするものに該当すると認める。
　したがって、本件補正は、平成１４年法律第２４号改正附則第２条第１項によりなお従前の例によるとされる同法による改正前の特許法第１７条の２第４項の規定に違反しない。
　そこで、本件補正により補正された請求項１に記載された発明（以下、「本件補正発明」という。）が特許出願の際独立して特許を受けることができるものであるかについて、以下検討する。
　
　（２）引用文献に記載された事項
　原査定の拒絶の理由において引用文献１として引用された特開平４−３４２３１２号公報（以下、「引用文献」という。）には、図面とともに、以下の記載がある。
　
（ア）「【０００２】
【従来の技術】パチンコ遊技機などにおける入賞玉の検出には、マイクロスイッチや近接スイッチというスイッチが従来から用いられている。図１３は、マイクロスイッチ９０の斜視図である。マイクロスイッチ９０の一端側には入賞玉が通過する通過孔９１が設けられ、通過孔９１内には揺動片９２が設けられている。マイクロスイッチ９０は通常は開放状態であるが、入賞玉が通過孔９１内を通過することにより揺動片９２が揺動して接点が閉じる。そして、接点が閉じたことをスイッチ入力回路によって検出してパルスに変換し、遊技機の制御用コンピュータに制御用信号として与える。」
（イ）「【００１５】
【発明が解決しようとする課題】しかし、上述の従来の回路は、マイクロスイッチと近接スイッチとを共用することが出来ないという問題点があった。例えば従来の近接スイッチ用の回路にそのままマイクロスイッチを接続すると、マイクロスイッチのオン時のチャタリングのために、スイッチ入力回路がスイッチのオンを誤検出し誤作動をする恐れがあった。」
（ウ）「【００２６】図１、図２に示されるパチンコ遊技機の動作の概略は以下のようである。遊技者によって弾発発射されたパチンコ玉は、図１に示される遊技領域１内に打込まれる。この間可変表示器６ａ〜６ｃの図柄は常時変動している。遊技玉が玉入口３に入った場合、その遊技玉は特定入賞口４で停止し、図柄停止スイッチ５によって検出される。図柄停止スイッチ５が遊技玉を検出したことに応答して、可変表示器６ａ〜６ｃの表示が左から順に停止する。停止時の可変表示装置部６の表示結果が「ぞろめ」であれば、振分装置７がモータ２２によって図１における時計回りの方向に回転し、玉受部８で遊技玉を受けて権利発生／消滅入賞口９に誘導する。ぞろめでなければ振分装置７はモータ２２によって図１における反時計回り方向に回転し、玉受部８で遊技玉を受けて普通入賞口１０に誘導する。権利発生／消滅入賞口９に誘導された玉は権利発生／消滅スイッチ２３で検出される。
【００２７】遊技機制御用コンピュータは権利発生／消滅スイッチ２３が遊技玉を検出したことに応答して、制御を「権利発生」とよばれる状態に変える。権利発生中に始動入賞口１５に遊技玉が入賞すると、始動口スイッチ２５がこの遊技玉を検出する。これに応じて玉受部材１２ａ、１２ｂがソレノイド２１によって開成して遊技玉の入賞しやすい状態となる。玉受部材１２ａ、１２ｂの開成は、開成後１０秒の経過後または可変入賞球装置部１１に１０個以上の遊技玉が入賞したときのいずれか早い時点で終了される。可変入賞球装置部１１への遊技玉の入賞は、図２に示されるカウントスイッチ２４によって行なわれる。権利発生中に前述と同様にして遊技玉が権利発生／消滅入賞口９に誘導され、権利発生／消滅スイッチ２３で検出されたことによって権利は消滅する。または、始動入賞口１５に遊技玉が１６個入賞することにより権利は消滅する。権利の発生時、残回数表示器１４は「１６」と表示する。以後、始動入賞口１５に遊技玉が入賞するたびに１ずつ減算して表示する。
【００２８】各入賞口に遊技玉が入賞すると、各入賞口の種類に応じて所定の個数の遊技玉が払出される。また、可変入賞球装置部１１が開成中に可変入賞球装置部１１に入賞した遊技玉の個数は入賞個数表示器１３によって表示される。」
（エ）「【００３４】スイッチ回路２８には、各スイッチ５、２３〜２５にそれぞれ接続され、各スイッチの出力をパルスに変換して基本回路２７に与えるための複数のスイッチ入力回路が含まれている。図４、図５には、本発明に係るスイッチ入力回路２８Ａが示されている。図４、図５を参照して本発明に係るスイッチ入力回路２８Ａは、第１の接点としての接点Ｃと第２の接点としての接地電位との間に接続された電荷蓄積手段としてのキャパシタ４２と、接点Ｃと第３の接点としての接点Ｄとの間に接続され、キャパシタ４２からの蓄積電荷の放電を遅延させるための放電遅延手段としての抵抗４０と、接点Ｄと電源＋１２Ｖとの間に接続され、電源＋１２Ｖと接点Ｄとの間に流れる電流に応答して接点Ｄに電圧降下を発生させるための第１の電圧降下手段としての抵抗３９と、接点Ｄとキャパシタ４２の接点Ｃ側の極板との間に接続され、接点Ｄからキャパシタ４２の一方の極板に抵抗４０をバイパスして電流を流すことによりキャパシタ４２を急速充電するためのダイオード４１と、接点Ｃと第４の接点としての接点Ｂとの間にこの順で直列に接続され、接点Ｃの電位が所定のしきい値を越えた場合には接点Ｂにローレベルの信号を、接点Ｃの電位がしきい値以下である場合には接点Ｂにハイレベルの信号を出力するための、電圧検知手段としてのツェナーダイオード４３およびトランジスタ４４とを含む。スイッチ入力回路２８Ａはさらに、接点Ｂと電源＋５Ｖとの間に接続され、電源＋５Ｖと接点Ｂとの間に流れる電流に応答して電圧降下を発生させるための抵抗４５を含む。
【００３５】このスイッチ入力回路２８Ａには、図４および図５に示されるように、近接スイッチ５、マイクロスイッチ２３、２５のいずれでも接続可能である。図４を参照して、近接スイッチ５は接点Ｄと接地電位との間に接続される。近接スイッチ５の＋端子が接点Ｄに、近接スイッチ５の−端子が接地電位にそれぞれ接続される。図５に示されるように、マイクロスイッチ２３、２５も接点Ｄと接地電位との間に接続される。図４および図１２を参照してすぐわかるように、本願に係るスイッチ入力回路２８Ａの場合にはマイクロスイッチ５の接続の極性が従来のスイッチ入力回路８９と逆になっている。」
（オ）「【００４１】図７を参照してすぐわかるように、マイクロスイッチ２３、２５がチャタリングを起こしている時間Ｔ２の間はトランジスタ４４の出力はハイレベルとなることはなく、チャタリングが終了したころに初めてトランジスタ４４の出力がハイレベルとなる。したがって、チャタリングによりスイッチ入力回路２８Ａの出力信号が変動することはなく、遊技機制御用コンピュータによって遊技玉の検出が誤って行なわれることはない。すなわち、図４または図５に示されるスイッチ入力回路２８Ａによって、マイクロスイッチを用いた場合にも近接スイッチを用いた場合にも誤りなく動作することが可能なスイッチ入力回路を提供することができた。」
　
　以上、（ア）ないし（オ）の記載、および図面を総合すると、引用文献には、
「１　パチンコ遊技機（図１，２参照）において、マイクロスイッチや近接スイッチなどを用いて通過孔（図１３，１４参照）を通過する入賞玉を検出するためのスイッチ入力回路２８Ａ（図４，５参照）に関する。
　２　前記スイッチ入力回路は、入賞玉を検出したとき動作する近接スイッチ（５，２４）またはマイクロスイッチ（２３，２５）の出力電圧が入力される入力端Ｄに、コンデンサ、ダイオードおよび抵抗を含んだ回路が接続され、当該回路の出力端Ｃにツェナーダイオード４３を介して増幅手段であるトランジスタ４４が接続された構成を備えており、トランジスタ４４の出力が、遊技機の制御用コンピュータに制御用信号として与えられる。
　３　前記回路は、入力端Ｄと出力端Ｃの間に抵抗４０が接続され、また当該抵抗４０と並列に、入力端Ｄから出力端Ｃへの電流の流れのみを許容するダイオード４１が接続された並列回路を構成しており、出力端Ｃにコンデンサ４２が接続されている。」
　という発明が開示されていると認めることができる。
（以下、この発明を「引用発明」という。）
　
　（３）対比
　引用発明は、パチンコ遊技機における入賞球検出回路に関する発明であって、当該検出回路の出力信号が、遊技機の制御用コンピュータに制御用信号として与えられるのであるから、引用発明が「入賞口への遊技球の通過を検出した検出手段から出力される出力電圧に基づき制御手段が遊技球の入賞個数を判別し、当該判別結果に対応した賞球払出しを行う遊技機」に係るものであることは明らかである。
　引用発明の「マイクロスイッチや近接スイッチ」は、本件補正発明の「検出手段」に相当し、そのうち「マイクロスイッチ」は、「入賞口への遊技球の通過をオン動作及びオフ動作により検出する機械式スイッチ」に相当する。
　引用発明の「抵抗４０」、「ダイオード４１」、「コンデンサ４２」は、それぞれ本件補正発明の「電気抵抗」、「ダイオード」、「蓄電手段」に相当する。
　そして、引用発明の「入力端Ｄと出力端Ｃの間に抵抗４０が接続され、また当該抵抗４０と並列に、入力端Ｄから出力端Ｃへの電流の流れのみを許容するダイオード４１が接続された並列回路を構成しており、出力端Ｃにコンデンサ４２が接続されている」回路は、本件補正発明の「フィルタ回路」に相当し、前記並列回路のうち抵抗４０からなる部分は、本件補正発明の「前記検出手段側となる入力側から制御手段側となる出力側への電流の流れ及び当該出力側から入力側への電流の流れの双方を許容する第１部分回路」、「前記第１部分回路には回路内に電気抵抗が設けられ」た構成に相当し、引用発明の「当該抵抗４０と並列に、入力端Ｄから出力端Ｃへの電流の流れのみを許容するダイオード４１が接続された」構成は、本件補正発明の「前記入力側から出力側への電流の流れのみを許容して当該出力側から入力側への電流の流れを規制する第２部分回路とが並列に接続され」、「前記第２部分回路は、前記第１部分回路と前記第２部分回路との出力側における交点にカソードが接続されるダイオードを有する構成とされている」ものに対応する。
　また、引用発明の「出力端Ｃにコンデンサ４２が接続されている」構成は、本件補正発明の「前記第１部分回路と第２部分回路との出力側における交点以降に蓄電手段が接続された回路構成」に相当する。
　
　以上のことから、引用発明と本件補正発明は、
　＜一致点＞
「入賞口への遊技球の通過を検出した検出手段から出力される出力電圧に基づき制御手段が遊技球の入賞個数を判別し、当該判別結果に対応した賞球払出しを行う遊技機において、
　前記検出手段と制御手段との間をフィルタ回路により接続し、当該フィルタ回路を、前記検出手段側となる入力側から制御手段側となる出力側への電流の流れ及び当該出力側から入力側への電流の流れの双方を許容する第１部分回路と、前記入力側から出力側への電流の流れのみを許容して当該出力側から入力側への電流の流れを規制する第２部分回路とが並列に接続され、前記第１部分回路と第２部分回路との出力側における交点以降に蓄電手段が接続された回路構成とし、
　前記検出手段は、前記入賞口への遊技球の通過をオン動作及びオフ動作により検出する機械式スイッチであり、
　前記第１部分回路には回路内に電気抵抗が設けられ、
　前記第２部分回路は、前記第１部分回路と前記第２部分回路との出力側における交点にカソードが接続されるダイオードを有する構成とされている遊技機。」
　である点で一致しており、以下の点で相違している。
　
　＜相違点＞
　本件補正発明は、第２部分回路にダイオードのほかさらに、「回路内において前記ダイオードのカソードと前記出力側における交点の間に電気抵抗が設けられている」のに対し、
　引用発明における上記第２部分回路に相当する部分には、ダイオードのみ設けられており、電気抵抗が設けられていない点
　
　（４）判断
　本件補正発明は、入力側である検出手段と出力側である制御手段をフィルタ回路（遅延回路）を介して接続したものであって、このフィルタ回路の入力側から出力側へ電流が流れる場合の抵抗値を下げ、また出力側から入力側へ電流が流れる場合の抵抗値を上げることにより、出力側の電圧波形の立ち上がり時と立ち下がり時の時定数を変えて、検出手段（機械式スイッチ）が作動したときに生じるチャタリングによる誤検出を防止するものであり、上記電流の方向により抵抗値を変える手段として、電気抵抗からなる第１部分回路と、出力方向にのみ電流が流れるダイオードと電気抵抗の直列回路からなる第２部分回路を並列に接続した並列回路を用いたものと理解できる。
　したがって、本件補正発明は、ダイオードに直列に電気抵抗を接続したことにより、入力側から出力側へ電流が流れる場合の抵抗値を調整できるものといえる。
　一方、引用発明は、抵抗とダイオードの並列接続回路を用いて入力側から出力側へ電流が流れる場合の抵抗値を下げ、また出力側から入力側へ電流が流れる場合の抵抗値を上げることにより、出力側の電圧波形の立ち上がり時と立ち下がり時の時定数を変えて、検出スイッチが作動したときに生じるチャタリングによる誤検出を防止するという点では本件補正発明と共通するものの、引用発明は、入力側から出力側へ電流が流れる場合、その抵抗値はダイオードと抵抗の並列合成抵抗となり、ダイオードの順方向の抵抗値は一定（しかも低い）であるから、出力側の電圧波形の立ち上がりにおける最適な遅延時間の調整が行えないものである。
　しかしながら、並列回路を含んだフィルタ回路において、当該並列回路それぞれの回路部分に抵抗を接続（一方にはダイオードも接続する）して、出力側電圧波形の立ち上がり時と立ち下がり時の時定数を適宜調整できるようにすることは、特開２００１−８７５２４号公報（前置審尋において引用文献９として示したもの。図２におけるダイオードＤ１、抵抗Ｒ１，Ｒ２、コンデンサＣ１を含んだ回路を参照のこと）にあるように知られており、しかも、入力側から出力側へ電流が流れる場合の抵抗値を下げ、また出力側から入力側へ電流が流れる場合の抵抗値を上げることにより、出力側の電圧波形の立ち上がり時と立ち下がり時の時定数を変えるものは、例えば、実願昭５３−８７２７７号（実開昭５５−３５９６号）のマイクロフィルム（第３図、第１０図、および明細書の第４ページ第１８行〜第５ページ第１６行「次にＡＰＣ又は・・・立上り特性（時間）を改善できる。」、第７ページ第１６行〜第１９行「更に第１０図の如く、抵抗器１０４とダイオード１０３を直列接続した場合、抵抗器１０１の抵抗値Ｒ１、抵抗器１０４の抵抗値Ｒ２とすると、Ｒ１＞Ｒ２にする事によっても同じ効果がある。」の記載参照）にあるように周知であるから、引用発明のような回路構造に換えて本件補正発明のような回路構造を用いる程度のことは、適宜なし得る設計変更にすぎないと認められる。
（なお、抵抗を直列接続する場合、カソード側に設けることとアノード側に設けることに相違がないことは技術常識である。）
　さらに、本件補正発明の作用効果を総合的に勘案しても、本件補正発明に格別のものを認めることができない。
　以上のように、本件補正発明は、引用発明および周知技術に基づいて、当業者が容易に発明をすることができたものである。
　したがって、本件補正発明は、特許法第２９条第２項の規定により、その特許出願の際に独立して特許を受けることができない。
　
　（５）本件補正発明についてのまとめ
　以上のとおり、本件補正は、平成１８年法律特許第５５号改正附則第３条第１項によりなお従前の例によるとされる同法による改正前の特許法第１７条の２第５項において準用する同法第１２６条第５項の規定に違反するものであるから、同法第１５９条第１項の規定において読み替えて準用する同法第５３条第１項の規定により却下すべきものである。
　
　
３．本件発明について
　（１）本件発明及び引用文献に記載された発明
　平成２１年１２月７日付けの手続補正は上記のとおり却下されたので、請求項１に係る発明は、平成２１年５月１日付け手続補正書により補正された特許請求の範囲に記載されたとおりのものである。
　そして、その請求項１により特定される発明（以下、「本件発明」という。）は次のとおりである。
　
「【請求項１】入賞口への遊技球の通過を検出した検出手段から出力される出力電圧に基づき制御手段が遊技球の入賞個数を判別し、当該判別結果に対応した賞球払出しを行う遊技機において、
　前記検出手段と制御手段との間をフィルタ回路により接続し、当該フィルタ回路を、前記検出手段側となる入力側から制御手段側となる出力側への電流の流れ及び当該出力側から入力側への電流の流れの双方を許容する第１部分回路と、前記入力側から出力側への電流の流れのみを許容して当該出力側から入力側への電流の流れを規制する第２部分回路とが並列に接続され、前記第１部分回路と第２部分回路との出力側における交点以降に蓄電手段が接続された回路構成とし、
　前記検出手段は、前記入賞口への遊技球の通過をオン動作及びオフ動作により検出する機械式スイッチであり、
　前記第１部分回路には回路内に電気抵抗が設けられ、
　前記第２部分回路は、前記第１部分回路と前記第２部分回路との出力側における交点にカソードが接続されるダイオードを有する構成とされているとともに、回路内に電気抵抗が設けられている遊技機。」
　
　（２）対比・判断
　本件発明は、前記２．で検討した本件補正発明から、「前記ダイオードのカソードと前記出力側における交点の間」という事項を削除したものである。
　そうすると、本件発明の構成要件を全て含み、さらに他の構成要件を付加して発明を限定したものに相当する本件補正発明が、前記２．（４）に記載したとおり、引用発明および周知技術に基づいて当業者が容易に発明をすることができたものであるから、本件発明も、同様の理由により、当業者が容易に発明をすることができたものである。
　
　
　（３）むすび
　以上のとおり、本件発明は、引用発明および周知技術に基づいて当業者が容易に発明をすることができたものであるから、特許法第２９条第２項の規定により特許を受けることができない。
　したがって、本願は、拒絶されるべきものである。
　よって、結論のとおり審決する。